(57)【要約】【課題】  特別なアース工事をすることなく、容易に接地可能な屋外用照明灯を提供する。【解決手段】  屋外用照明灯１は、地面に立設される器具本体２と、器具本体２内に設けられた光源４と、先端側に２極の接続刃２３，２３を有してアース線２１を外方に引き出しているプラグ２４を備える電源コード５と、器具本体２の外面１０ａに設けられたアース端子６と具備している。【選択図】図１
2013077492.tif 000002
【特許請求の範囲】
【請求項１】
地面に立設される器具本体と；
この器具本体内に設けられた光源と；
先端側に２極の接続刃を有してアース線を外方に引き出しているプラグを備える電源コードと；
前記器具本体の外面に設けられたアース端子と；
を具備していることを特徴とする屋外用照明灯。
【請求項２】
金属製の本体部およびこの本体部の底部に取り付けられて地面に埋め込まれるスパイク部を有し、このスパイク部が前記本体部を地面に立設する器具本体と；
前記本体部内に設けられた光源と；
先端側に２極の接続刃を有するプラグを備え、前記光源側に接続されて前記本体部から外方に導出された電源コードと；
前記本体部を地面に接地させる接地手段と；
を具備していることを特徴とする屋外用庭園灯。
【請求項３】
前記接地手段は、前記本体部の底部に取り付けられて地面に埋め込まれる金属製の接地棒であることを特徴とする請求項２記載の屋外用照明灯。
【発明の詳細な説明】
【技術分野】
【０００１】
本発明の実施形態は、電源プラグを有している屋外用照明灯に関する。
【背景技術】
【０００２】
従来、電源コードに電源プラグを備えて、例えばスパイク構造により庭園に設置される庭園灯が知られている（例えば特許文献１参照。）。そして、庭園灯は、アースを要するクラス１のものと、アースを要しないクラス２（２重絶縁構造）のものが広く知られている。ここで、クラス２の庭園灯は、絶縁構造などが煩雑であり、大型化や高価になるおそれがある。
【０００３】
また、クラス１の庭園灯は、絶縁構造などを簡略化できるが、接地時にアースを接続する必要がある。このために、電源プラグに、アース極付きの３極プラグまたはアース線付きの２極プラグが用いられている。
【先行技術文献】
【特許文献】
【０００４】
【特許文献１】特開２００１−１５５５３６号公報（第２頁、第１図）
【発明の概要】
【発明が解決しようとする課題】
【０００５】
３極プラグを用いると、例えば玄関に設けられているコンセントが２極のものであると、当該コンセントに接続できないという問題がある。また、アース線付きの２極プラグを用いると、３極のコンセントにおいては接地することができなくなり、また、２極のコンセントにアース端子が設けられていないと、同じく当該コンセント側で接地することができなくなるおそれがある。これらの場合、庭園灯の本体側で、別途アース工事をして本体を接地する必要があり、庭園灯の設置に手間と時間などを要するという欠点を有し、また、本体の意匠性を損なうおそれがある。
【０００６】
本実施形態は、特別なアース工事をすることなく、容易に接地可能な庭園灯を提供することを目的とする。
【課題を解決するための手段】
【０００７】
本実施形態の照明器具は、器具本体、光源、電源コードおよびアース端子を有して構成される。
【０００８】
器具本体は、地面に立設され、光源は、器具本体内に設けられている。そして、電源コードは、先端側に２極の接続刃を有してアース線を外方に引き出しているプラグを備える。アース端子は、器具本体の外面に設けられている。
【発明の効果】
【０００９】
本発明の実施形態によれば、電源コードのプラグ側のアース線で接地できないときに、器具本体のアース端子に接地線を接続して器具本体を接地できるので、容易にかつ確実に器具本体を接地できることが期待できる。
【図面の簡単な説明】
【００１０】
【図１】本発明の第１の実施形態を示す屋外用照明灯の一部切り欠き概略正面図である。
【図２】同じく、屋外用照明灯の一部切り欠き概略側面図である。
【図３】同じく、屋外用照明灯の概略下面図である。
【図４】本発明の第２の実施形態を示す屋外用照明灯の一部切り欠き概略正面図である。
【図５】本発明の第３の実施形態を示す屋外用照明灯の一部切り欠き概略正面図である。
【図６】同じく、屋外用照明灯の概略下面図である。
【発明を実施するための形態】
【００１１】
以下、本発明の一実施の形態について、図面を参照して説明する。まず、本発明の第１の実施形態について説明する。
【００１２】
本実施形態の屋外用照明灯は、庭園灯１であり、図１ないし図３に示すように構成されている。図１において、庭園灯１は、器具本体２、グローブ３、光源４、電源コード５およびアース端子６を備えている。
【００１３】
器具本体２は、本体部７およびスパイク部８を備えている。そして、本体部７は、取付け部９およびポール部１０に形成されている。取付け部９は、アルミダイカストにより略カップ状に形成され、その開口部側に被ねじ部１１を形成している。そして、取付け部９の内部には、電球用ソケット１２が設けられている。
【００１４】
ポール部１０は、例えばアルミニウムからなり、例えば肉厚１．８ｍｍの円筒に形成されている。ポール部１０は、一端側７ａが開放され、図２に示すように、他端側７ｂに底部としての略皿状の底部板１３を複数個のねじ１４により取り付けている。ポール部１０の他端側７ｂには、水抜き孔２７が形成されている。また、ポール部１０は、図１に示すように、取付け部９の開口端がポール部１０の一端側７ａの端面に位置するようにして、少なくとも２個のねじ１５により取付け部９を固定している。
【００１５】
そして、取付け部９およびポール部１０は、それぞれ塗装されている。例えば、取付け部９は、ポリエステル粉体塗装され、ポール部１０は、アクリル焼付塗装されている。こうして、金属製の本体部７は、一端側７ａに開口１６を有し、他端側７ｂに底部としての底部板１３を有する円筒状に形成されている。
【００１６】
スパイク部８は、例えば板厚１．２ｍｍのステンレス鋼からなり、地面に埋め込み易くするために、長手方向に亘って略直角に折曲された山形をなしているとともに、先細りの略錐形に形成されている。そして、図３に示すように、固定板１７，１７がねじ１８，１８により本体部７の底部板１３に機械的に取り付けられている。こうして、スパイク部８は、本体部７に取り付けられて地面に埋め込まれ、本体部７（器具本体２）は、スパイク部８により地面に立設される。
【００１７】
図１において、グローブ３は、透光性の例えば軟質ガラスからなり、首部１９を有する円筒体に形成されている。当該円筒体の外径は、ポール部１０の外径と略同一となっている。そして、グローブ３は、首部１９の外側に形成されたねじ部２０が本体部７の取付け体９の被ねじ部１１に螺合して、本体部７の開口１６を閉塞するように本体部７（器具本体２）の一端側７ａに取り付けられている。
【００１８】
光源４は、例えばＬＥＤ電球であり、本体部７の取付け体９内に設けられた電球用ソケット１２に装着されている。光源４は、その発光部４ａがグループ３内に位置するように、取付け体９内に設けられている。すなわち、光源４は、グローブ３から放射光が出射されるように器具本体２の本体部７内に設けられている。
【００１９】
そして、電球用ソケット１２に電源コード５の図示しない電源線が接続されている。電源コード５は、アース線２１を有し、このアース線２１が電球用ソケット１２を取り付けている取付け体９に電気的に接続されている。すなわち、アース線２１は、器具本体２に電気接続されている。そして、電源コード５は、本体部７のポール部１０の外面１０ａから外方に導出されている。電源コード５は、ポール部１０の外面１０ａにおいて、コネクタ２２により器具本体２に固定されている。
【００２０】
電源コード５の先端側には、２極の接続刃２３，２３を有してアース線２１を外方に引き出しているプラグ２４が設けられている。このプラグ２４の接続刃２３，２３が玄関等に設けられているコンセントに差し込まれ、アース線２１がアース端子に接続される。
【００２１】
そして、器具本体２のポール部１０の外面１０ａには、図２に示すように、アース端子６がねじ２５により取り付けられている。ねじ２５は、アース端子６とポール部１０（器具本体２）とを電気接続している。ねじ２５の近傍の外面１０ａには、アース表示２６をしている。
【００２２】
アース端子６には、別のアース線（接地線）が接続される。この接地線が地面に接地されることにより、器具本体２が地面に接地される。このように、アース端子６は、器具本体２を地面に接地させるためにポール部１０の外面１０ａに設けられている。
【００２３】
次に、第１の実施形態の作用について述べる。
【００２４】
アース端子６に接地線を接続し、この接地線を地面に埋め込んで接地することにより、器具本体２が接地される。すなわち、電源コード５のアース線２１がコンセント側で接地されなくても、器具本体２が接地される。
【００２５】
そして、電源コード５のアース線２１がコンセント側で接地されるときには、アース端子６を接続しなくすることも可能である。
【００２６】
本実施形態によれば、器具本体２のポール部１０の外面１０ａに設けられたアース端子６に接地線を接続し、この接地線を接地することにより器具本体２が接地されるので、器具本体２を加工するなどの特別なアース工事をすることなく接地作業を行えて、接地作業の省力化を図ることができるとともに、器具本体２の意匠性が損なわれることを防止できるという効果を有する。
【００２７】
なお、本実施形態において、器具本体２やグローブ３は、それぞれ筒状に限定されるものではなく、所望の形状に形成されていてもよい。
【００２８】
次に、本発明の第２の実施形態について説明する。
【００２９】
本実施形態の屋外用照明灯は、庭園灯１Ａであり、図４に示すように構成され、以下の点を除き、図１〜図３に示す庭園灯１と同一構成である。なお、図１〜図３と同一部分には同一符号を付して説明は省略する。
【００３０】
庭園灯１Ａは、図１に示す庭園灯１において、器具本体２のポール部１０の外面１０ａにアース端子６およびそのアース表示２６を有しないものである。また、スパイク部８は、地面との導電性を良好とするために、ステンレス鋼よりも導電性が高い例えば銅により形成されている。すなわち、スパイク部８は、接地手段を兼用しているものであり、器具本体２の底部としての底部板１３に電気的および機械的に取り付けられている。そして、スパイク部８の固定板１７，１７側に、アース表示２６が視認されやすいように設けられている。なお、電源コード５は、アース線２１を備えるものでなくてもよい。
【００３１】
スパイク部８は、地面に差し込まれて埋め込まれる。これにより、スパイク部８は、器具本体２を地面に立設するとともに接地する。
【００３２】
本実施形態によれば、接地手段を兼ねるスパイク部８を地面に埋め込むことにより器具本体２が立設されるとともに接地されるので、特別なアース工事をすることがなく、接地作業の省力化を図ることができるという効果を有する。
【００３３】
次に、本発明の第３の実施形態について述べる。
【００３４】
本実施形態の屋外用照明灯は、庭園灯１Ｂであり、図５および図６に示すように構成され、以下の点を除き、図１〜図３に示す庭園灯１と同一構成である。なお、図１〜図３と同一部分には同一符号を付して説明は省略する。
【００３５】
庭園灯１Ｂは、図１に示す庭園灯１において、器具本体２のポール部１０の外面１０ａにアース端子６およびそのアース表示２６を有しないものである。そして、底部としての底部板１３に接地手段としての接地棒２８が取り付けられている。接地棒２８は、例えば銅からなり、先端側が尖った円柱状に形成され、図６に示すように、その基端側の取付板２９がねじ３０，３０により底部板１３に取り付けられている。接地棒２８の取付板２９側には、図５に示すように、アース表示をしたテープ３１が設けられている。なお、電源コード５は、アース線２１を備えるものでなくてもよい。
【００３６】
スパイク部８および接地棒２８は、同時に地面に差し込まれて埋め込まれる。これにより、スパイク部８は、器具本体２を地面に立設し、接地棒２８は、器具本体２（本体部７）を地面に接地する。
【００３７】
本実施形態によれば、器具本体２の本体部７の底部板１３に取り付けられたスパイク部８および接地棒２８を地面に埋め込むことにより、器具本体２が立設されるとともに接地されるので、特別なアース工事をすることがなく、接地作業の省力化を図ることができるという効果を有する。
【符号の説明】
【００３８】
１，１Ａ，１Ｂ…屋外用照明灯としての庭園灯、  ２…器具本体、  ４…光源、  ５…電源コード、６…アース端子、  ７…本体部、  ８…接地手段としてのスパイク部、  １３…底部としての底部板、  ２４…プラグ、  ２８…接地手段としての接地棒
【図１】
2013077492.tif 000003
【図２】
2013077492.tif 000004
【図３】
2013077492.tif 000005
【図４】
2013077492.tif 000006
【図５】
2013077492.tif 000007
【図６】
2013077492.tif 000008